(57)【要約】      （修正有）【課題】着衣者の送風所要領域に送風可能な衣服を提供する。【解決手段】送風装置２００と、送風装置の保持部１５０と、内部空間部１４０とを有し、送風装置は、衣服１０１の外部から吸入したエアを内部空間部内に送出し、内部空間部内に送出されたエアは、内部空間部を経由して、着衣者４００における送風所要領域４１０へと誘導される。【選択図】図１
2016023378.tif 000002
【特許請求の範囲】
【請求項１】
送風装置と、前記送風装置を保持する保持部と、所定の内部空間部とを有する衣服であって、
前記保持部に保持された状態における前記送風装置は、前記衣服の外部から吸入したエアを前記内部空間部内に送出し、
前記内部空間部内に送出されたエアは、前記内部空間部を経由して、着衣者における送風所要領域へと誘導されることを特徴とする衣服。
【請求項２】
送風装置と、前記送風装置を保持するポケット部と、所定の内部空間部とを有する衣服であって、
前記ポケット部は、前記ポケット部に前記送風装置を挿入するための第１開口と、前記送風装置が吸入したエアを前記内部空間部に送出するための第２開口とを有し、
前記内部空間部内に送出されたエアは、前記内部空間部を経由して、着衣者における送風所要領域へと誘導されることを特徴とする衣服。
【請求項３】
請求項１または２に記載された衣服であって、
前記衣服は、外部に露出する外装体と、前記外装体と着衣者の間に介在する内装体とを有し、
前記内部空間部は、前記外装体と前記内装体とにより包囲された領域に形成され、
前記内装体は、前記内部空間部におけるエアを前記送風所要領域へと誘導するための誘導開口を有することを特徴とする衣服。
【請求項４】
請求項１または２に記載された衣服であって、
前記衣服は、外部に露出する外装体と、前記外装体と着衣者の間に介在する内装体とを有し、
前記内部空間部は、前記外装体と前記内装体とにより包囲された領域に形成され、
前記外装体における一部の領域と、前記内装体における一部の領域とは、前記内部空間部におけるエアを前記送風所要領域へと誘導するための誘導開口を形成することを特徴とする衣服。
【請求項５】
請求項３または４のいずれか１項に記載された衣服であって、
前記送風装置がエアを吸入する領域の位置と、前記誘導開口の位置とは離間していることを特徴とする衣服。
【請求項６】
請求項３〜５のいずれか１項に記載された衣服であって、
前記誘導開口は、前記送風所要領域の近傍に形成されており、
前記送風所要領域は、前記着衣者における首または脇の少なくとも一方を含むことを特徴とする衣服。
【請求項７】
請求項１〜６に記載された衣服であって、
前記送風装置は、駆動モータと、前記駆動モータの回転に伴い回転される羽根部とを有し、
前記羽根部は、前記羽根部の回転軸に直交される方向からエアを吸入することを特徴とする衣服。
【請求項８】
請求項７に記載された衣服であって、
前記送風装置の所定領域を外部に露出するための装置露出開口を有し、
前記送風装置は、前記装置露出開口から外部に露出される領域に意匠面を有することを特徴とする衣服。
【請求項９】
請求項７または８に記載された衣服であって、
前記駆動モータは、複数種類の電動工具を駆動可能なバッテリにより駆動されることを特徴とする衣服。
【請求項１０】
請求項７〜９のいずれか１項に記載された衣服であって、
前記バッテリを保持するバッテリ保持部を有し、
前記バッテリ保持部は、前記バッテリの端子と接続可能な衣服側端子と、前記衣服側端子と前記駆動モータとを連結するため導電線を有することを特徴とする衣服。
【発明の詳細な説明】
【技術分野】
【０００１】
本発明は、送風装置を保持可能に構成された衣服に関する。
【背景技術】
【０００２】
送風装置を保持可能な衣服として、送風装置の吸入領域を外部に露出させる孔を有する合羽が、実開昭６４−３０３０８号公報に開示されている。当該文献に開示された合羽においては、合羽の内部に送風装置からのエアが送出されることにより、着衣者を冷却することが可能であった。
当該文献の合羽においては、合羽が着衣されている領域全体に対する冷却効果を確保することが可能であった。しかし、着衣者においては、所要する個別部位への冷却を行いたいという要求があり、このような要求を解決するためには、さらなる工夫が必要とされていた。
【先行技術文献】
【特許文献】
【０００３】
【特許文献１】実開昭６４−３０３０８号公報
【発明の概要】
【発明が解決しようとする課題】
【０００４】
本発明は、このような点に鑑みて創案されたものであり、送風装置を保持可能な衣服において、一層合理的な技術を提供することを目的とする。
【課題を解決するための手段】
【０００５】
上記課題を解決するため、本発明に係る衣服は、送風装置と、送風装置を保持する保持部と、所定の内部空間部とを有する。さらに、本発明に係る衣服において、保持部に保持された状態における送風装置は、衣服の外部から吸入したエアを内部空間部内に送出する。
内部空間部内に送出されたエアは、内部空間部を経由して、着衣者における送風所要領域へと誘導される。
【０００６】
本発明に係る衣服によれば、保持部により、送風装置を衣服に保持させることが可能となる。送風装置から吸入されたエアは、内部空間部を経由して、送風所要領域へと誘導される。よって、送風所要領域を的確に冷却することが可能となる。また、着衣者が冷却を要しない領域への冷却を、制限することが可能となる。
【０００７】
また、上記課題を解決するため、本発明に係る衣服は、送風装置と、送風装置を保持するポケット部と、所定の内部空間部とを有する。ポケット部は、ポケット部に送風装置を挿入するための第１開口と、送風装置が吸入したエアを内部空間部に送出するための第２開口とを有する。内部空間部内に送出されたエアは、内部空間部を経由して、着衣者における送風所要領域へと誘導される。
【０００８】
本発明に係る衣服によれば、ポケット部により、送風装置を衣服に保持させることが可能となる。具体的には、送風装置は、第１開口を通じてポケット部に対し着脱が行われる。送風装置から吸入されたエアは、ポケット部の第２開口を通じて内部空間部に送出される。このため、内部空間部に対し効率的にエアを供給することが可能となる。エアは、内部空間部を経由して、送風所要領域へと誘導される。よって、送風所要領域を的確に冷却することが可能となる。また、着衣者が冷却を要しない領域への冷却を、制限することが可能となる。
【０００９】
また本発明に係る衣服における解決手段の一態様として、外部に露出する外装体と、外装体と着衣者の間に介在する内装体とを有する。内部空間部は、外装体と内装体とにより包囲された領域に形成される。
この場合、内装体は、内部空間部におけるエアを送風所要領域へと誘導するための誘導開口を有することが可能となる。
また、外装体における一部の領域と、内装体における一部の領域とは、内部空間部におけるエアを送風所要領域へと誘導するための誘導開口を形成することが可能となる。
【００１０】
本態様に係る衣服によれば、誘導開口を通じてエアを送風所要領域へと誘導することが可能となるため、着用者が冷却を必要とする部位に応じた冷却動作がより確実に行えることとなる。
また、実現しようとする衣服の構成に応じて、誘導開口を内装体に形成することや、内装体の一部の領域と外装体の一部の領域とにより形成することができる。
【００１１】
また本発明に係る衣服における解決手段の一態様として、送風装置がエアを吸入する領域の位置と、誘導開口の位置とは離間している。
【００１２】
本態様に係る衣服によれば、送風装置がエアを吸入する領域と、誘導開口の位置との間を内部空間部として活用することが可能となる。よって、内部空間部の容量を確保することが可能となる。
【００１３】
また本発明に係る衣服における解決手段の一態様として誘導開口は、送風所要領域の近傍に形成されている。この際、送風所要領域は、着衣者における首または脇の少なくとも一方を含むものである。
【００１４】
また本発明に係る衣服における解決手段の一態様として送風装置は、駆動モータと、駆動モータの回転に伴い回転される羽根部とを有する。羽根部は、羽根部の回転軸に直交される方向からエアを吸入する。
【００１５】
本態様に係る衣服によれば、エアが羽根部の回転軸に直交される方向から吸入される。よって、仮に羽根部の回転軸方向に障害物が存在していたとしても、送風装置がエアの吸入を良好に行うことが可能となる。
【００１６】
また本発明に係る衣服における解決手段の一態様として、送風装置の所定領域を外部に露出するための装置露出開口を有する。送風装置は、装置露出開口から外部に露出される領域に意匠面を有する。
本態様に係る衣服によれば、意匠面を外部に露出することができるため、衣服の美観を向上させることができる。
【００１７】
また本発明に係る衣服における解決手段の一態様として、駆動モータは、複数種類の電動工具を駆動可能なバッテリにより駆動される。
本態様に係る衣服によれば、特に、着衣者が建築現場などの作業者である場合は、着衣者が電動工具用に使用しているバッテリを援用することが可能となる。
【００１８】
また本発明に係る衣服における解決手段の一態様として、バッテリを保持するバッテリ保持部を有し、バッテリ保持部は、バッテリの端子と接続可能な衣服側端子と、衣服側端子と駆動モータとを連結するため導電線を有する。
【発明の効果】
【００１９】
本発明によれば、送風装置を保持可能な衣服として、一層合理的な技術を提供することが可能となる。
【図面の簡単な説明】
【００２０】
【図１】本発明の第１実施形態に係る衣服の全体構成を示す正面図である。
【図２】本発明の第１実施形態に係る衣服の構成を示す説明図である。
【図３】図２におけるＩ−Ｉ線断面図である。
【図４】ポケット部の構成を示す説明図である。
【図５】ポケット部の構成を示す正面図である。
【図６】図５におけるＩＩ−ＩＩ線断面図である。
【図７】送風装置を示す正面図である。
【図８】図７におけるＩＩＩ−ＩＩＩ線断面図である。
【図９】本発明の第１実施形態に係る動作を示す説明図である。
【図１０】バッテリの構成を示す説明図である。
【図１１】本発明の第２実施形態に係る衣服の構成を示す説明図である。
【図１２】本発明の第３実施形態に係る衣服の構成を示す説明図である。
【図１３】図１２におけるＩＶ−ＩＶ線断面図である。
【図１４】図１２におけるＶ−Ｖ線断面図である。
【発明を実施するための形態】
【００２１】
（第１実施形態）
以下、本発明に係る第１実施形態につき、図１〜図１０に基づき説明する。図１は、本発明の第１実施形態に係る衣服の使用状態を示す説明図である。本発明に係る衣服として、以下、建築現場などで着用される作業上着１０１に基づき説明を行う。この作業上着１０１が、本発明に係る「衣服」の一例である。
【００２２】
（作業上着の概要）
図１に示す通り、作業上着１０１は、外部に露出する外装体１１０を有する。この外装体１１０が、本発明に係る「外装体」の一例である。外装体１１０は、前身頃１１１と、後身頃１１２と、袖部１１３とを有する。袖部１１３は、図２に示す通り、腕を挿通するための腕部開口１１４を有する。
図１は、着衣者４００を背中側から見た状態を示す。作業上着１０１は、後身頃１１２に、送風装置２００を保持する保持部１５０を有する。保持部１５０は、具体的にはポケット部１６０により形成される。この送風装置２００が本発明に係る「送風装置」の一例であり、保持部１５０が本発明に係る「保持部」の一例であり、ポケット部１６０が本発明に係る「ポケット部」の一例である。
ポケット部１６０（保持部１５０）は、着衣者４００における脇４１２と足の付け根との間により規定される胴領域４２０に配置される。すなわち、胴領域４２０は、着衣者の胸領域、腹（背中）領域、腰領域、尻領域を含む領域である。この場合、ポケット部１６０（保持部１５０）は、いわゆる腰領域に設けることが可能である。
【００２３】
図１に示す通り、後身頃１１２における着衣者４００側には、内装体１２０が設けられる。すなわち、内装体１２０は、外装体１１０と着衣者４００の間に介在する。内装体１２０と後身頃１１２に包囲された領域には、内部空間部１４０が形成される。内部空間部１４０は、送風装置２００から送出されたエアが送出される。この内装体１２０が本発明に係る「内装体」の一例であり、内部空間部１４０が本発明に係る「内部空間部」の一例である。
【００２４】
送風装置２００から内部空間部１４０内に送出されたエアは、内部空間部１４０を経由して、着衣者における送風所要領域４１０へと誘導される。この送風所要領域４１０が、本発明に係る「送風所要領域」の一例である。送風所要領域４１０としては、着衣者が特に冷却を所望する箇所を選択することができる。第１実施形態においては、具体的な例として首回り４１１および脇４１２を送風所要領域４１０として説明する。
内部空間部１４０における送風所要領域４１０の近傍には、エアを送風所要領域４１０に誘導するための誘導開口１３０が形成される。この誘導開口１３０が、本発明に係る「誘導開口」の一例である。
【００２５】
なお、外装体１１０は、撥水性および透湿性が高く、肌触りが良好な素材により構成される。具体的には、綿、毛糸、コットン、麻などの天然繊維や、ナイロン、ポリエステル、レーヨンなどの合成繊維、およびこれらを混紡した繊維による布地が好適に使用される。また、内装体１２０は、エアが通過する内部空間部１４０を形成するため、通気性の低い素材にて構成することが好ましい。具体的には、ポリ塩化ビニル（ＰＶＣ）に代表される、いわゆる軟質プラスチックによるフィルムや、通気性の低いポリエステルによるフィルムなどが好適には使用される。
【００２６】
（内部空間部の構成）
図２および図３に基づき、内部空間部１４０の詳細な構成を説明する。図２は作業上着１０１を正面側から見た状態を示す説明図であり、図３は図２におけるＩ−Ｉ線断面図である。図２および図３に示す通り、内装体１２０は、外装体１１０における後身頃１１２を被覆して配置され、内装体１２０の縁部が接合部１２１により後身頃１１２に接合される。接合部１２１は、縫合や、接着剤による接着などの手段が適宜選択される。この結果、内装体１２０と外装体１１０との間には内部空間部１４０が形成される。内部空間部１４０は、送風装置２００の送風量などに基づき、適宜その容積が設定される。この意味において、第１実施形態においては、内装体１２０は後身頃１１２のみに形成されているが、内装体１２０を後身頃１１２から前身頃１１１に亘るように配置することも可能である。
【００２７】
図２に示す通り、内装体１２０には誘導開口１３０が形成される。誘導開口１３０は、送風所要領域４１０の近傍における内装体１２０を穿孔し、環状の形状保持部１３１を設けることにより形成される。形状保持部１３１は、着衣者４００の動作を妨げない程度の柔軟性を有する素材であり、かつ、着衣者４００の動作により誘導開口１３０が閉塞されない程度の弾性を有することが望ましい。形状保持部１３１は具体的には、ゴムや形状記憶合金を使用することが望ましい。なお、内装体１２０の穿孔部分と、形状保持部１３１との接合においては、縫合や接着などの手段を適宜選択することができる。
【００２８】
なお、形状保持部１３１は、環状である必要はなく、誘導開口１３０の開口状態を維持できれば足りるものである。例えば、誘導開口１３０の少なくとも一部が閉塞されないような形状とすることができる。具体的には、形状保持部１３１を円弧状とすることができる。また、形状保持部１３１は、直線状の部材と、当該直線状の部材の両端部から延出する端部部材とにより構成することができる。この際、直線状の部材が延在する方向と、端部部材が延在する方向とは交差されるものである。
さらに、誘導開口１３０に、形状保持部１３１を設けない構成とすることも可能である。
【００２９】
（ポケット部の構成）
図４〜図６に基づき、ポケット部１６０（保持部１５０）の詳細な構成を説明する。図４はポケット部１６０の構成を説明する一部切欠き斜視図、図５はポケット部１６０の正面図、図６は図５におけるＩＩ−ＩＩ線断面図である。
図４に示す通り、ポケット部１６０は、後身頃１１２とポケット形成体１６１とにより構成される。図５に示す通り、後身頃１１２とポケット形成体１６１は、接合部１６２により接合される。接合部１６２は、縫合や、接着剤による接着などの手段が適宜選択される。ポケット部１６０は、送付装置２００の収容部１６３を有する。
【００３０】
図４に示す通り、ポケット部１６０は、送風装置２００を収容部１６３へ挿入するための第１開口１６５と、送風装置２００が吸入したエアを内部空間部１４０に送出するための第２開口１６６と、送風装置２００の所定領域を外部に露出するための第３開口１６７を有する。この第１開口１６５が本発明に係る「第１開口」の一例であり、第２開口１６６が本発明に係る「第２開口」の一例であり、第３開口１６７が本発明に係る「装置露出開口」の一例である。
なおポケット形成体１６１は、伸縮性および耐久性の高い素材により形成することが好ましい。
【００３１】
図６に示す通り、ポケット形成体１６１における第１開口１６５の近傍領域には、第１開口１６５の形状を維持するための保形部材１７３が配置される。保形部材１７３は、具体的には形状記憶合金による線状部材が使用される。保形部材１７３は空間部１７２に配置される。空間部１７２は、帯状の保形部形成体１７０をポケット形成体１６１に対し、２カ所の接合部１７１により接合することで形成される。この場合は、保形部材１７３が保形部形成体１７０により隠蔽されるため、作業上着１０１の美観向上を図ることが可能となる。なお接合部１７１は、縫合や接着剤による接着などの手段を用いることが可能である。
一方、保形部形成体１７０を使用せずに、ポケット形成体１６１に保形部材１７３を直接接合することも可能である。さらに、ポケット形成体１６１の素材などの要因によっては、保形部材１７３を設けないことも可能である。
【００３２】
図６に示す通り、ポケット形成体１６１の所定領域と、後身頃１１２の所定領域は、互いを係止する係止部１６４を有する。係止部１６４は、ポケット形成体１６１と、後身頃１１２における第１開口１６５の近傍領域とに形成される。具体的には、係止部１６４は、雄部材と雌部材とからなるファスニングテープや、ボタンとボタン穴により形成することができる。
なお、図４〜図６においては、ポケット部１６０は、後身頃１１２の外部側（着衣者に対する反対側）に設けられている。この場合、ポケット部１６０に対して送風装置２００を着脱しやすいという利点がある。
一方、ポケット部１６０を、後身頃１１２の内部側（着衣者側）に設けることも可能である。この場合は、送風装置２００における外部への露出量が、ポケット部１６０を後身頃１１２の外部側に設けた場合よりも少なくすることができるため、作業中に送風装置２００が邪魔にならないという利点がある。この場合、ポケット部１６０は内部空間部１４０内に配置される。
【００３３】
（送風装置の構成）
図７〜図１０に基づき、送風装置２００の詳細な構成を説明する。図７は送風装置２００の正面図、図８は図７におけるＩＩＩ−ＩＩＩ線断面図、図９は送風装置２００をポケット部１６０に配置した状態の説明図、図１０は送風装置２００を駆動するバッテリの３００の説明図である。なお、図９に係るポケット部１６０は、図４〜図６に基づき説明したポケット部１６０とは異なる構造を有する。すなわち、図９に係るポケット部１６０は、保形部形成体１７０および保形部材１７３を有さない構造である。
図７は、送風装置２００のファンカバー２１０が示される。ファンカバー２１０は、意匠面２１１を備える。意匠面２１１は、ポケット部１６０の第３開口１６７を通じて、外部に露出される面であるため、種々のデザインを施すことができる。よって、意匠面２１１により、作業上着１０１全体の美観向上を図ることが可能となる。この意匠面２１１が、本発明に係る「意匠面」の一例である。
【００３４】
図８に示す通り、送風装置２００は、ファンカバー２１０と、ファンハウジング２２０とを外郭として有する。ファンハウジング２２０は、駆動モータ（図示せず）と、当該駆動モータの回転に伴い回転される羽根部２３０とを収容する。この羽根部２３０が、本発明に係る「羽根部」の一例である。なお、駆動モータとしては、ブラシレスモータが好適に使用される。羽根部２３０は、羽根部２３０が回転した場合において、ファンカバー２１０側からエアの吸入が行われ、ファンハウジング２２０側へエアを送出するように構成される。
送風装置２００において、羽根部２３０の回転軸方向を回転軸方向２００ｚとする。回転軸方向２００ｚと交差する方向を軸交差方向２００ｙとする。回転軸方向２００ｚと軸交差方向２００ｙは直交する。
【００３５】
図８に示す通り、ファンカバー２１０は、柱状部２１２を複数有する。隣接する柱状部２１２の間には、開放部２１３が形成される。開放部２１３は、軸交差方向２００ｙに形成される。より具体的には、開放部２１３は、回転軸方向２００ｚ周りの軸交差方向２００ｙにおいて、複数個連続して設けられる。開放部２１３の近傍における領域を吸入領域２００ａとする。
図９に示す通り、送風装置２００をポケット部１６０に収容した場合には、ファンカバー２１０は、ポケット部１６０の第３開口１６７を通じて外部に露出される。すなわち、吸入領域２００ａはポケット部１６０の外部となる。よって、羽根部２３０の回転に伴いエアを吸入する場合、ポケット形成体１６１を経由する必要が無いため、送風装置２００は、良好なエアの吸入を行うことができる。
また、開放部２１３が軸交差方向２００ｙに形成されるため、ファンカバー２１０に意匠面２１１を形成することが可能となる。意匠面２１１は、図７に示すファンカバー２１０の正面側からの吸気を規制する。よって、例えば着衣者４００が壁に背中を押しつけたような場合であっても、送風装置２００は、軸交差方向２００ｙに形成された開放部２１３から円滑にエアを吸入することが可能となる。
【００３６】
図８に示す通り、ファンハウジング２２０は、柱状部２２１を複数有する。隣接する柱状部２２１の間には、開放部２２２が形成される。開放部２２２は、軸方向２００ｚに形成される。より具体的には、開放部２２２は、回転軸方向２００ｚにエアを送出すべく、複数個連続して設けられる。開放部２２２の近傍における領域を排出領域２００ｂとする。
図９に示す通り、送風装置２００をポケット部１６０に収容した場合には、ファンカバー２２０は、ポケット部１６０の第２開口１６６を通じて内部空間部１４０内に配置される。よって、羽根部２３０は内部空間部１４０内に直接エアを供給することが可能となる。
【００３７】
送風装置２００の駆動モータは、バッテリにより駆動される。     バッテリは汎用の電池を使用することが可能である。一方、着衣者４００が建築現場などで作業を行う場合の入手容易性や、容量を考慮すると、複数種類の電動工具を駆動可能なバッテリを流用することが好適である。
図１０に、複数種類の電動工具を駆動可能なバッテリ３００を示す。このバッテリ３００が、本発明に係る「バッテリ」の一例である。バッテリ３００は、電動工具に電流を供給するための端子３１０を有する。このようなバッテリ３００を使用する場合、作業上着１０１は、バッテリ３００を保持するバッテリ保持部を有することができる。バッテリ保持部は、バッテリ３００の端子３１０と接続可能な衣服側端子と、当該衣服側端子と駆動モータとを連結するため導電線を有することができる。
着衣者は、バッテリ３００をバッテリ保持部に収納し、端子３１０を衣服側端子に接続することにより、送風装置２００を駆動することが可能となる。なお、送風装置２００を収容するポケット部１６０を、バッテリ保持部とすることも可能である。
【００３８】
（作業上着の動作）
次に、作業上着１０１の動作につき説明する。図１に示す通り、着衣者４００は、まず作業上着１０１を着用する。送風装置２００は作業上着１０１に対し着脱可能に形成されている。よって、着衣者は、作業上着１０１の着用に係る容易性に鑑みて、ポケット部１６０に送風装置２００を予め収容しておくか、作業上着１０１を着用した後に送風装置２００をポケット部１６０に収容させるかを選択することができる。内部空間部１４０は、送風装置２００の単位時間あたりのエア送出量に比して大容量化することが好ましい。これにより、衣服装置構成のコンパクト化や低コスト化を図ることが可能となる。
【００３９】
内部空間部１４０のエアは、送風装置２００から供給され続けるエアよって流動されたり、着衣者４００の動作により内部空間部１４０の容積が減少されることに伴い、誘導開口１３０から吐出される。誘導開口１３０は、首回り４１１や脇４１２などの、送風所要領域４１０近傍に形成されている。よって、内部空間部１４０のエアは、誘導開口１３０を経由して送風所要領域４１０を的確に冷却することが可能となる。この際、誘導開口１３０には形状保持部１３１が設けられているため、誘導開口１３０は閉塞されること無く、確実に開口状態を保つことができる。
なお、内部空間部１４０のエアは、誘導開口１３０が形成されていない領域には吐出されない。よって、作業上着１０１は、着衣者４００が送風を所要しない領域への冷却を防止することが可能となる。
【００４０】
図１に示す通り、ポケット部１６０は、誘導開口１３０と離間した位置に配置されている。具体的には、ポケット部１６０は、内部空間部１４０の縁部近傍領域に設けられる。すなわち、内部空間部１４０におけるエアの吸入箇所と、エアの排出箇所が離間した関係となる。内部空間部１４０におけるエアの吸入箇所は、具体的には図９に示す吸入領域２００ａである。この結果、内部空間部１４０は、エアの吸入箇所と排出箇所の間の領域を、効率よく活用することが可能となる。
このような構成によって、本発明の第１実施形態に係る作業上着１０１は、着衣者４００の送風所要領域４１０を的確に冷却することができる。
なお、ポケット部１６０や、内部空間部１４０に冷却材を収容させることが可能である。この際には、冷却材により、着衣者４００をより効果的に冷却することが可能となる。
【００４１】
次に図１１に基づき本発明に係る第２実施形態を、図１２〜図１４に基づき本発明に係る第３実施形態を説明する。なお、上述した第１実施形態と同一の部品、また同一の動作を行い得る部品については同一の符号を付し、その説明を省略する。
【００４２】
（第２実施形態）
本発明の第２実施形態に係る作業上着１０２を、図１１に基づき説明する。図１１は、第２実施形態に係る作業上着１０２の断面図であり、第１実施例に係る図３に相当する図である。
第２実施形態に係る作業上着１０２は、第１実施形態に係る作業上着１０１と比して、内装体１２０の構成が異なる。すなわち、第１実施形態に係る作業上着１０１は、平面状の内装体１２０を、後身頃１１２に接合していた。これに対し、第２実施形態に係る作業上着１０２の内装体１２０は、筒状（環状、袋状）に形成されている。なお、作業上着１０２を平面視した状態の他の構成は、図２に示す作業上着１０１と同様である。なお、作業上着１０２におけるポケット部１６０の第２開口１６６は、外装体１１０の所定領域と、外装体１１０に接合されている内装体１２０の所定部分とが共に切り欠かれることにより形成される。
【００４３】
作業上着１０２における内部空間部１４０は、一見すると「内装体１２０に包囲された領域」に形成されているように思える。しかし、内部空間部１４０の一部は、外装体１１０と共にポケット部１６０の第２開口１６６を形成するために切り欠かれている。この意味において、外装体１１０に接合されている内装体１２０の領域は、外装体１１０と一体化していると考えることができる。すなわち、作業上着１０２においても、内部空間部１４０は、外装体１１０と内装体１２０に包囲された領域に形成されているものである。
すなわち、外装体１１０と内装体１２０との間に他の構成が存在する場合であっても、内部空間部１４０は、実質的に外装体１１０と内装体１２０とに包囲された領域により形成されるものである。
【００４４】
第２実施形態に係る作業上着１０２は、第１実施形態に係る作業上着１０１と同様の動作を行い、同様の効果を奏する。よって、第２実施形態に係る作業上着１０２においても、着衣者４００の送風所要領域４１０を、的確に冷却することが可能となる。
【００４５】
（第３実施形態）
本発明の第３実施形態に係る作業上着１０３を、図１２〜図１４に基づき説明する。図１２は第３実施形態に係る作業上着１０３の説明図、図１３は図１２におけるＩＶ−ＩＶ線断面図、図１４は図１２におけるＶ−Ｖ線断面図である。
図１２に示すように、第３実施形態に係る作業上着１０３は、第１実施形態に係る作業上着１０１と比して、外装体１１０および誘導開口１３０の構成が異なる。作業上着１０３は、第１実施例に係る作業上着１０１に比して、袖部１１３を有さない構成である。すなわち、作業上着１０３の外装体１１０は、前身頃１１１と後身頃１１２のみにより構成される。
【００４６】
図１２に示すように、作業上着１０３の誘導開口１３０は、形状保持部１３１を有さない。図１４に示すように、作業上着１０３の誘導開口１３０は、外装体１１０と内装体１２０とが接続していない領域における、外装体１１０の領域と、内装体１２０の領域とにより構成される。換言すると、外装体１１０における一部の領域と、内装体１２０における一部の領域とにより誘導開口１３０が形成される。なお、作業上着１０３の誘導開口１３０は、外装体１１０における腕部開口１１４および首開口１１５の近傍に形成される。
第３実施形態に係る作業上着１０３は、袖部１１３を有さないため、作業上着１０３全体における冷却効果を向上することができる。また、着衣者４００が長袖のシャツの上に作業上着１０３を着用するなど、着衣者４００の要望に応じた活用が可能となる。
【００４７】
なお、図１３に示すように、作業上着１０３における内部空間部１４０の構成そのものは、第１実施例に係る作業上着１０１と同様である。よって、第３実施形態に係る作業上着１０３は、第１実施形態に係る作業上着１０１と同様の動作を行い、同様の効果を奏する。よって、第３実施形態に係る作業上着１０３においても、着衣者４００の送風所要領域４１０を、的確に冷却することが可能となる。
【００４８】
以上、図１〜図１４に基づき、本発明に係る第１実施形態〜第３実施形態を説明した。一方、本発明に係る衣服にあっては、上述した構成に限定されるものではない。すなわち、第１実施形態〜第３実施形態を適宜組み合わせることが可能であり、さらに変形例として他の構成を選択することが可能である。例えば、第１実施形態〜第３実施形態に係る衣服は作業上着であったが、当該作業上着の上に、さらに他の衣服を着用することも可能である。また、本発明に係る衣服は、ズボンであっても良い。
【００４９】
（本実施形態の各構成要素と本発明の各構成要素の対応）
上述した実施形態における各構成要素と、本発明における各構成要素の対応関係を次の通り示す。
作業上着１０１は、本発明に係る「衣服」の一例である。外装体１１０は、本発明に係る「外装体」の一例である。送風装置２００は、本発明に係る「送風装置」の一例である。保持部１５０は、本発明に係る「保持部」の一例である。ポケット部１６０は、本発明に係る「ポケット部」の一例である。内装体１２０は、本発明に係る「内装体」の一例である。内部空間部１４０は、本発明に係る「内部空間部」の一例である。送風所要領域４１０は、本発明に係る「送風所要領域」の一例である。誘導開口１３０は、本発明に係る「誘導開口」の一例である。第１開口１６５は、本発明に係る「第１開口」の一例である。第２開口１６６は、本発明に係る「第２開口」の一例である。第３開口１６７は、本発明に係る「装置露出開口」の一例である。意匠面２１１は、本発明に係る「意匠面」の一例である。羽根部２３０は、本発明に係る「羽根部」の一例である。バッテリ３００は、本発明に係る「バッテリ」の一例である。
【００５０】
以上の発明の趣旨に鑑み、本発明に係る衣服は、下記の態様が構成可能である。
（態様１）
本発明の構成において、
「衣服は前身頃と後身頃を有し、ポケット部は後身頃に形成されることを特徴とする」
（態様２）
本発明の構成において、
「羽根部は、羽根部の回転軸方向にエアを送出することを特徴とする」
【符号の説明】
【００５１】
１０１、１０２、１０３  作業上着（衣服）
１１０  外装体
１１１  前身頃
１１２  後身頃
１１３  袖部
１１４  腕部開口
１１５  首開口
１２０  内装体
１２１  接合部
１３０  誘導開口
１３１  形状保持部
１４０  内部空間部
１５０  保持部
１６０  ポケット部
１６１  ポケット形成体
１６２  接合部
１６３  収容部
１６４  係止部
１６５  第１開口
１６６  第２開口
１６７  第３開口（装置露出開口）
１７０  保形部形成体
１７１  接合部
１７２  空間部
１７３  保形部材
２００  送風装置
２１０  ファンカバー
２１１  意匠面
２１２  柱状部
２１３  開放部
２２０  ファンハウジング
２２１  柱状部
２２２  開放部
２３０  羽根部
２００ａ  吸入領域
２００ｂ  排出領域
２００ｘ  軸交差方向
２００ｚ  回転軸方向
３００  バッテリ
３１０  端子
４００  着衣者
４１０  送風所要領域
４１１  首回り
４１２  脇
４２０  胴領域
【図１】
2016023378.tif 000003
【図２】
2016023378.tif 000004
【図３】
2016023378.tif 000005
【図４】
2016023378.tif 000006
【図５】
2016023378.tif 000007
【図６】
2016023378.tif 000008
【図７】
2016023378.tif 000009
【図８】
2016023378.tif 000010
【図９】
2016023378.tif 000011
【図１０】
2016023378.tif 000012
【図１１】
2016023378.tif 000013
【図１２】
2016023378.tif 000014
【図１３】
2016023378.tif 000015
【図１４】
2016023378.tif 000016